(57)【要約】  本発明は、少なくとも１つの手すり（１６）を車両ルーフ（１）に固定するための装置に関する。前記装置は、手すり（１６）に固定できる固定レール（４）とパネル（２０）とを備える。本発明の目的は、手すりの固定を簡単にする装置を提供することである。この目的のために、パネル（２０）は、手すり（１６）を固定レール（４）に固定するための取付け間隙（２６）を備え、前記間隙は、固定レール（４）に沿って延び且つ間隙被覆手段（３０）によって閉鎖される。
2009506922.tif 000002
【特許請求の範囲】
【請求項１】
手すり（１６）を固定する固定レール（４）とパネル（２０）とを備えた、少なくとも１つの手すり（１６）を車両ルーフ（１）に固定するための装置であって、
前記パネル（２０）が、前記固定レール（４）に沿って延び且つ間隙被覆手段（３０）によって閉鎖される取付け間隙（２６）を有することを特徴とする装置。
【請求項２】
前記間隙被覆手段（３０）が、前記取付け間隙（２６）を架橋する被覆リップ（３１）を有することを特徴とする請求項１に記載の装置。
【請求項３】
前記被覆リップ（３１）が、前記パネル（２０）の車両内部とは反対の側に配置されることを特徴とする請求項２に記載の装置。
【請求項４】
前記被覆リップ（３１）が軟質プラスチック材料から形成されることを特徴とする請求項２または３に記載の装置。
【請求項５】
前記被覆リップ（３１）が締付けプロファイル（３４）から延在することを特徴とする請求項２〜４のいずれか一項に記載の装置。
【請求項６】
前記締付けプロファイル（３４）と前記被覆リップ（３１）とが共押出しプロファイルから形成されることを特徴とする請求項５に記載の装置。
【請求項７】
前記締付けプロファイル（３４）が山形プロファイル（４０）の一方のリム（４１）に締め付けられることを特徴とする請求項５または６に記載の装置。
【請求項８】
前記山形プロファイル（４０）の他のリム（４２）が前記固定レール（４）に固定されることを特徴とする請求項７に記載の装置。
【発明の詳細な説明】
【技術分野】
【０００１】
本発明は、手すりを固定できる固定レールとパネルとを備えた、少なくとも１つの手すりを車両ルーフに固定するための装置に関する。
【背景技術】
【０００２】
特許文献１は、ルーフからある距離をもって且つルーフとほぼ平行になるように配置されて、少なくともルーフと反対側に向く面にＴ型溝を有するプロファイルレールに固定される手すりを開示している。手すりは、溝中に配置される摺動部品によってプロファイルレールに固定される。特許文献２は、手すりシステムの回転固定式取り付け用装置を開示している。特許文献３は、アルミニウム製の押出しプロファイルを基本要素として設ける公共輸送のための手すりシステムを開示している。特許文献４は、手すりを固定するための装置を開示している。
【０００３】
【特許文献１】欧州特許出願公開第０  ７６８  ４１６  Ａ１号明細書
【特許文献２】独国特許出願公開第１００  ５１  ９６７  Ａ１号明細書
【特許文献３】独国実用新案第２９９  １３  ２８９  Ｕ１号明細書
【特許文献４】欧州特許第０  ３５２  ２１６  Ｂ１号明細書
【発明の開示】
【発明が解決しようとする課題】
【０００４】
本発明の目的は、手すりの固定が簡単になる請求項１の前段による固定装置を提供することである。
【課題を解決するための手段】
【０００５】
この目的は、手すりを固定できる固定レールとパネルとを備えた、少なくとも１つの手すりを車両ルーフに固定するための装置であって、パネルが、固定レールに沿って延び且つ間隙被覆手段によって閉鎖される取付け間隙を有する装置によって達成される。従来型固定装置において、レールはパネルで被覆される。パネルは、手すりを取り付けるために固定点で切り開かれなければならない。本発明による取付け間隙により固定レールへの挿入がかなり簡単になる。間隙は、本発明による間隙被覆手段により手すりの取付けの前後に被覆される。手すりの取り付け時、間隙被覆手段は簡単なやり方、例えば、引き出す、折り曲げる、及び／又は切り開くことで特定の固定点で取り外すことができる。
【０００６】
この装置の好ましい例示的実施形態は、間隙被覆手段が、取付け間隙を架橋する被覆リップを有することで特徴づけられる。さらに、互いに当接する２つの被覆リップによって取付け間隙を閉鎖することも可能である。しかしながら、これは当接する縁部が見えるという不利点を有する。取付け間隙は１つの封止リップによって完全に閉鎖することができる。
【０００７】
この装置のさらに好ましい例示的実施形態は、被覆リップがパネルの車両内部と反対の側に配置されることで特徴づけられる。結果として、取付け間隙は、パネルの見た目の印象が損なわれることなく、きちんと閉鎖される。
【０００８】
この装置のさらに好ましい例示的実施形態は、被覆リップが軟質プラスチック材料から形成されることで特徴づけられる。例えば、被覆リップがエチレンプロピレンジエンゴムから形成される。
【０００９】
この装置のさらに好ましい例示的実施形態は、被覆リップが締付けプロファイルから延在することで特徴づけられる。この締付けプロファイルによって被覆リップの取り付けが簡単にできる。
【００１０】
この装置のさらに好ましい例示的実施形態は、締付けプロファイルと被覆リップとが共押出しプロファイルから形成されることで特徴づけられる。結果として製造費用が低く保たれる。
【００１１】
この装置のさらに好ましい例示的実施形態は、締付けプロファイルが山形プロファイルの一方のリムに締め付けられることで特徴づけられる。この山形プロファイルは、好ましくは鋼板から形成される。
【００１２】
この装置のさらに好ましい例示的実施形態は、山形プロファイルの他のリムが固定レールに固定されることで特徴づけられる。山形プロファイルの他のリムは、例えば、溶着、ろう接あるいは接着による粘着材接合で固定レールに接続できる。しかしながら、山形プロファイルの他のリムは、同じく、リベットまたはねじといった固定要素の助けを借りて固定レールに固定される場合もある。
【００１３】
本発明のさらなる利点、特性および詳細については、図面を参照しながら例示的実施形態に関する以下の記述から得られる。特許請求の範囲および明細書で述べられている特性は、個々それぞれにおいて、あるいは所望の組み合わせにおいて、本発明に含まれる。
【発明を実施するための最良の形態】
【００１４】
固定レール４が支持構造体１に固定される車両ルーフの構造体が図１で示される。固定レール４は断面で示され、Ｃ型プロファイル８と組み合わせられる中空プロファイル６を備える。Ｃ型プロファイル８は、固定要素１４のヘッド１２が固定されるＴ型溝１０を備える。固定要素１４は、公知の方法で手すり１６の一方の端部を固定レール４に固定するように機能する。
【００１５】
車両ルーフの支持構造体１は、複数のパネル部分２１、２２を備えるパネルにより車両内部に向けて被覆される。パネル部分２１、２２はそれぞれ、固定レール４の領域内でそれに沿った上向きに湾曲した縁部領域２３、２４を有する。固定レール４に沿って延びる取付け間隙２６は、パネル部分２１、２２の縁部領域２３、２４間に凹設される。取付け間隙２６により、簡単な方法で、固定要素１４を車両内部からＴ型溝１０内に挿入できるようになる。
【００１６】
取付け間隙２６は被覆手段３０により閉鎖される。被覆手段３０は、締付けプロファイル３４から延在する被覆リップ３１を備える。被覆リップ３１は軟質プラスチック材料から形成され、取付け間隙２６を完全に被覆する。被覆リップ３１は取付け間隙２６よりも若干長く、パネル部分２１、２２の縁部領域２３、２４上に置かれる。締付けプロファイル３４は山形プロファイル４０のリム４１に押し付けられ、他のリム４２は固定レール４に固定される。接続テープ４４が締付けプロファイル３４の下面に取り付けられ、例えば、接着剤で接着される。接続テープ４４は、パネル部分２２を締付けプロファイル３４に、例えば、接続テープ４４と相互作用してパネル部分２２に固定されるタッチクローズテープの助けを借りて固定するように機能する。
【００１７】
パネル部分２１は山形プロファイル５３の１つのリム５１に固定手段５０の助けを借りて固定され、他のリム５２は固定レール４に固定される。固定手段５０は、山形プロファイル５３のリム５１に押し付けられる締付けプロファイル５４を備える。接続テープ５６が締付けプロファイル５４の下面に固定される。接続テープ５６は、適当なタッチクローズテープの助けを借りてパネル部分２１を山形プロファイル５３に固定するように機能する。
【００１８】
図２は、締結手段５０を単独で断面で示す。
【００１９】
図３は、被覆手段３０を単独で断面で示す。
【００２０】
図１は、被覆リップ３１が取付け間隙２６を完全に被覆している状態での被覆要素３０を示す。固定レール４はこの状態で隠されるため、車両内部から見えなくなる。固定要素１４が固定レール４に取り付けられる前に、取付け間隙２６を介して被覆リップ３１を引き出して、例えば、一対のパンチタングの助けを借りて機械加工することができる。さらに、被覆リップ３１が引き出された状態で、固定軸受またはスペーサ部品を固定レール４に取り付けることができる。被覆リップ３１の機械加工および／またはトリミングの後に、固定レール４を隠すために、被覆リップ３１はパネル部分２１、２２の後ろに再び押し付けられる。さらに、固定要素１４の取り付け時に、固定要素１４を使って被覆リップ３１を押しのけることもできる。被覆リップ３１の機械加工が次に省略できる。
【図面の簡単な説明】
【００２１】
【図１】本発明による固定装置の断面図を示す。
【図２】図１の固定装置を単独で、あるいは断面で示す。
【図３】図１の被覆手段を単独で、あるいは断面で示す。
【図１】
2009506922.tif 000003
【図２】
2009506922.tif 000004
【図３】
2009506922.tif 000005
【国際調査報告】
2009506922.tif 000006
2009506922.tif 000007
2009506922.tif 000008
2009506922.tif 000009
2009506922.tif 000010
2009506922.tif 000011